(57)【要約】【課題】  一体のバックレス、ストラップレスブラを有する衣類、及び、その衣類を使用する方法を提供する。【解決手段】  この衣類は、ユーザーのバストの方に面する胸部分と、該胸部分の内側表面に結合された１対のブラカップとから成る。各ブラカップは、ユーザーのバストに面する内側表面と、該内側表面とは反対側に面する外側表面を有し、ブラカップの内側表面は、ブラカップをユーザーのバストに取り付けるための感圧粘着層を含む。この衣類は、又、１対のブラカップを相互に引き寄せるためにそれらの間に配置されたコネクタを有する。この衣類を使用する本発明の方法は、ブラカップの位置づけをカスタマイズし、バストの谷間及びプッシュアップ効果の度合を随意に選択することを可能にする。【選択図】図１
2006002324.tif 000002
【特許請求の範囲】
【請求項１】
一体の調節自在のバックレス、ストラップレスブラを有する衣類を用いる方法であって、
該衣類を、その内側表面に結合された１対のブラカップがユーザーのバストの方に向けられるようにして、ユーザーの身体に位置づけする工程と、
対応するバストに被さるようになされた内側表面を有する前記１対のブラカップを各バスト上にそれぞれ独立して位置づけする工程と、
前記ブラカップの各々の内側表面には、それぞれ対応するバストに対して、かつ、他方のブラカップに対して位置づけし直すことができるように他方のブラカップとは独立して容易に脱着することができる感圧粘着層が設けられており、該１対のブラカップの各々の内側表面の感圧粘着層をそれぞれ対応するバストの所望位置に粘着させる工程と、
前記１対のブラカップの間に配置されたコネクタによって該両ブラカップを相互に引き寄せる工程と、
から成ることを特徴とする衣類使用方法。
【請求項２】
前記コネクタは、前記１対のブラカップの一方の内方側縁に取り付けられた第１部分と他方のブラカップの内方側縁に取り付けられた第２部分とから成り、該第１部分と第２部分が互いに係合するようになされていることを特徴とする請求項１に記載の衣類使用方法。
【請求項３】
該衣類の内側表面は、前記コネクタを形成する材料から成ることを特徴とする請求項１に記載の衣類使用方法。
【請求項４】
前記各ブラカップは、前記内方側縁とは反対側でユーザーの腋窩の方に面する外方側縁を有し、該ブラカップは、前記感圧粘着層によってユーザーのバストに固定されることを特徴とする請求項１に記載の衣類使用方法。
【請求項５】
前記バストの谷間を調節するために組み入れられたバックレス、ストラップレスブラを有する衣類を用いる方法であって、
該衣類を、その内側表面に結合された１対のブラカップがユーザーのバストの方に向けられるようにして、ユーザーの身体に位置づけする工程と、
対応するバストに被さるようになされた内側表面を有する前記１対のブラカップを各バスト上にそれぞれ独立して位置づけする工程と、
前記ブラカップの各々の内側表面には、それぞれ対応するバストに対して、かつ、他方のブラカップに対して位置づけし直すことができるように他方のブラカップとは独立して容易に脱着することができる感圧粘着層が設けられており、該１対のブラカップの各々の内側表面の感圧粘着層をそれぞれ対応するバストの所望位置に粘着させる工程と、
所望の大きさのバストの谷間を創生するように前記１対のブラカップの間に配置されたコネクタによって該両ブラカップを相互に引き寄せる工程と、
前記１対のブラカップを結合する前に該１対のブラカップの間の間隔を調節してそれらのブラカップが結合されたときに創生されるバストの谷間の大きさを調節するために、該１対のブラカップの少くとも一方をバストから外して該ブラカップを対応するバスト上の異なる位置に位置づけし直すことによってバストの谷間の大きさを調節する工程と、
から成ることを特徴とする衣類使用方法。
【請求項６】
前記コネクタは、前記１対のブラカップの一方の内方側縁に取り付けられた第１部分と他方のブラカップの内方側縁に取り付けられた第２部分とから成り、該第１部分と第２部分が互いに係合するようになされており、該第１部分と第２部分を係合させることによってユーザーの両バストを引き寄せることを特徴とする請求項５に記載の衣類使用方法。
【請求項７】
該衣類の内側表面は、前記コネクタを形成する材料から成ることを特徴とする請求項５に記載の衣類使用方法。
【請求項８】
前記１対のブラカップが結合されたときに創生されるバストの谷間の大きさを大きくするために、該１対のブラカップを結合する前に該１対のブラカップの内方側縁間の間隔を大きくする工程を含むことを特徴とする請求項５に記載の衣類使用方法。
【請求項９】
前記１対のブラカップが結合されたときに創生されるバストの谷間の大きさを小さくするために、該１対のブラカップを結合する前に該１対のブラカップの内方側縁間の間隔を小さくする工程を含むことを特徴とする請求項５に記載の衣類使用方法。
【請求項１０】
前記各ブラカップは、前記内方側縁とは反対側でユーザーの腋窩の方に面する外方側縁を有し、該ブラカップは、前記感圧粘着層によってユーザーのバストに固定されることを特徴とする請求項５に記載の衣類使用方法。
【請求項１１】
ユーザーのバストの方に面する胸部分と、該衣類の前記胸部分の内側表面に結合された１対のブラカップとから成る一体のバックレス、ストラップレスブラを有する衣類であって、該各ブラカップは、
ユーザーのバストに面する内側表面と、該内側表面とは反対側に面する外側表面を有し、該ブラカップの内側表面は、該ブラカップをユーザーのバストに取り付けるための感圧粘着層を含み、
該１対のブラカップを相互に引き寄せるためのコネクタを有することを特徴とする衣類。
【請求項１２】
前記コネクタは、前記１対のブラカップの一方の内方側縁に取り付けられた第１部分と他方のブラカップの内方側縁に取り付けられた第２部分とから成り、該第１部分と第２部分が互いに係合するようになされていることを特徴とする請求項１１に記載の衣類。
【請求項１３】
該衣類の内側表面は、前記コネクタを形成する材料から成ることを特徴とする請求項１１に記載の衣類。
【請求項１４】
前記１対のブラカップは、該衣類の前記胸部分の内側表面に恒久的に結合されていることを特徴とする請求項１１に記載の衣類。
【請求項１５】
前記各ブラカップの内側表面の少くとも３０％が、前記感圧粘着層から成ることを特徴とする請求項１１に記載の衣類。
【請求項１６】
シャツ、ドレス又は水着であることを特徴とする請求項１１に記載の衣類。
【請求項１７】
ユーザーの胸を横切る横方向に少くとも２方向に伸縮性の材料から成ることを特徴とする請求項１６に記載の衣類。
【発明の詳細な説明】
【技術分野】
【０００１】
本発明は、一体のブラ（ブラジャー）システムを有する衣類に関し、特に、調節自在の、バックレス（背無し）、ストラップレス（ストラップ無し）ブラを有する衣類に関する。
【背景技術】
【０００２】
バスト（胸）を強調したいと願う女性のために、現在、いろいろな種類のデバイスや方法が利用可能である。一般的にいえば、そのような女性は、インプラント（埋没物）を埋め込むために外科手術を受けるか、あるいは、外部に着用する何らかの形の衣料品を用いることができる。バストの外科手術によるインプラントに伴う危険を避けたいと願う女性の希望に添うために、従来から、自然のバストの外見及び感触を有し、しかも、非恒久的で、健康阻害のおそれのない外部着用品を提供するためのいろいろな努力がなされてきた。
【発明の開示】
【発明が解決しようとする課題】
【０００３】
バストのサイズ及び形を良くするためのデバイス及び方法を求める要望に加えて、そのようなデバイス及び方法を、他のどのような種類の衣服の着用をも妨げることなく、用いることができることを求める要望がある。例えば、バックレスドレスやホールタートップを着用する女性は、在来の（通常の、伝統的な）ブラを着けることを好まない。このことに配慮して、バックレスで、かつ、ストラップレスのブラが開発された。そのようなバックレス、ストラップレスブラは、ブラをユーザーの身体に固定するために使い捨ての両面テープのような非恒久的な粘着材又は接着材を用いている。又、ある種のバスト支持機能を含むシャツ等の衣類も提案されているが、それらは、スタンドアローンの（ストラップや粘着材等の助けを借りずに装着することができる）ブラの効用を完全に実現するものではない。
【０００４】
従って、バストをプッシュアップし（バストを豊かに見せるために押し上げ）、バストの谷間を強調するためのシステムを有する一体のバックレス、ストラップレスブラを有する衣類を求める要望がある。更に、ユーザーがブラの位置ずれを心配することなしにブラを所望の位置に位置づけするのを可能にする繰り返し使用可能な粘着材を有するブラを備えた衣類を求める要望がある。
【課題を解決するための手段】
【０００５】
本発明は、一体のバックレス、ストラップレスブラシステムを有する衣類であって、該ブラシステムは、ユーザーの肌（皮膚）に面する内側表面を有する１対のブラカップから成り、該ブラカップの内側表面は、ブラカップをユーザーの肌に取り付けるための感圧粘着層又は感圧接着層から成ることを特徴とするブラ付き衣類を提供する。それらのブラカップは、その外側表面が該衣類に取り付けられ、ブラカップの内側表面をユーザーのバストに着脱することができるような態様に該衣類内に位置づけされる。それらの１対のブラカップは、恒久的に結合されるか、あるいは、着脱自在に連結される。そのことと、感圧粘着層とが相俟って、これらのブラカップは、ユーザーの所望のバスト外観を創出するためにカスタマイズ可能な（個々のユーザーのニーズや好み等に合わせて調節又は設計変更可能な）、位置づけし直し可能なシステムとして使用することが可能にされる。例えば、本発明の衣類及びブラカップのユーザーは、所望量のバストの谷間を創出し、バストのプッシュアップ効果を高めることができる。
【発明の効果】
【０００６】
本発明の原理に従って構成された一体のブラシステムを備えた衣類は、基本的には、互いに結合されるようになされた１対のブラカップを有する衣類である。この衣類は、人の胴部を覆って着用され、胸を覆うように設計された任意のタイプの衣類であってよく、例えば、ティーシャツ、タンクトップ、チューブトップ、水着、ドレス、長袖シャツ及びドレス、半袖シャツ及びドレス、ボタンダウンの又はジッパー付きのシャツ及びドレス、プルオーバーシャツ及びドレス等であってよい。この衣類は、又、任意の適当な種類の素材又は織布で形成することができる。例えば、この衣類は、ブラカップがユーザーのバストに嵌着された後、衣類をユーザーのバストの形状に、特にユーザーの胸を横切る横方向において合致させることができるように、ライクラ又はスパンデックスのような２方向又は４方向伸縮性の織物で形成することができる。更に、ユーザーの胸を横切る横方向に伸縮自在の織物又は素材を用いれば、衣類がユーザーの胸の中心近くでひだ寄せされたり、過度に伸張されたりすることなく、ブラカップの位置をユーザーのバストに対して調節することができる。
【０００７】
このブラシステムは、衣類と一体、又は、衣類に組み込まれており、従って、ブラシステムは、衣類の一部である。衣類とブラシステムとの間の結合は、いろいろな方法で、又、製造工程のいろいろな異なる段階で実施することができる。衣類とブラシステムは、単一の一体衣類として最終消費者に提供してもよいが、衣類とブラシステムを別個に製造し、後で組み合わせるようにすることもできる。一般には、この衣類は、着用されたときユーザーの胸にあてがわれる胸部分を構成する。この胸部分は、ユーザーの肌に面する内側表面と、内側表面の反対側に面する外側表面を有する。ブラカップは、衣類の下でユーザーのバスト覆って装着することができるように、衣類の胸部分の内側表面に結合される。
【発明を実施するための最良の形態】
【０００８】
図１を参照すると、本発明のブラシステムの一例が示されている。ブラシステムは、バックレス、ストラップレスのブラ１０から成る。ブラ１０は、１対のブラカップ１２を含み、それらのカップは、両者の対向した内側表面の間に位置する中央コネクタ１４によって結合されるようになされている。図示の例では、コネクタ１４は、１対のブラカップの各々に取り付けられる別々の部品を有するものとして示されているが、１対のブラカップを互いに引き寄せるための手段を有する任意の構成又は構造のものであってよく、衣類自体がコネクタの機能を果たすようにしてもよい。ブラカップ１２は、各々その内側表面に、カップをユーザーの左右のバストの各々に着脱自在に取り付けることができるようにする感圧粘着層を有している。各ブラカップ１２は、それぞれユーザーの左右のバストに独立して装着される別個の物品である。ブラカップ１２の各々は、一方が左のバストを支持し強調する（バストのサイズや形を良くする）ために設計されており、他方が右のバストを支持し向上するために設計されている点を除いては、同じ構造を有している。更に、これらのブラカップ１２は、コネクタ１４によって恒久的に結びつけてもよく、着脱自在に結びつけてもよい。
【０００９】
一般的にいえば、ブラ１０のユーザーは、ブラ１０を有する衣類を着け、各ブラカップ１２の感圧粘着層を左右のバストに位置づけし、コネクタ１４を係合させることによって両ブラカップを互いに結びつける。ユーザーは、ブラをバストのどの位置に位置づけするかによって、又、コネクタ１４が２つのブラカップを相互に引き寄せる度合によって、バストの谷間及びプッシュアップの強調の度合をいろいろに変えることができる。更に、ブラカップの頂縁及び底縁に対するコネクタの相対的な取付位置も、バストの谷間及びプッシュアップの強調の度合に影響を与える。従って、本発明のブラ１０では、ユーザーがブラカップを所望の位置に位置づけし、２つのブラカップをコネクタで結びつけることによって谷間とプッシュアップの強調の度合を制御することができる。ただし、２つのブラカップは、固定のコネクタによって恒久的に結合してもよい。
【００１０】
図１は、ブラカップ１２の正面図を示す。各ブラカップ１２は、頂縁１６と、頂縁に対向した底縁１８と、外方側縁２０と、外方側縁に対向する内方側縁２２を有し、更に、内方頂縁２４、内方中間側縁２６及び内方底縁２８を画定する。図２を参照して説明すると、各ブラカップ１２は、ユーザーに対して２つの表面、即ち、ユーザーのバストに面する内側表面３０と、バストのある側とは反対側に面する外側表面３２を有する。内側表面３０の少くとも一部分は、ブラカップをユーザーの肌に結合する感圧粘着層を有する。
【００１１】
感圧粘着（ＰＳＡ）層３３は、ユーザーが各ブラカップをバストに所望の支持と外観をを与えるバスト上の位置に装着することを可能にする。感圧粘着層３３を構成するＰＳＡの量及び種類は、いろいろに変更することができ、ブラカップの内側表面のうちの、感圧粘着層を有する部分の配置及び大きさもいろいろに変更することができる。感圧粘着層の量、種類及び配置は、ブラカップ及びユーザーのバストのサイズ、形状及び重さ、ブラカップを内側に組み込む衣類のタイプ、及び、衣類の素材等のいろいろな要素によって決められる。一般的には、例えば、ブラカップの内側表面の約３０％〜１００％が感圧粘着層から成るものとする。
【００１２】
感圧粘着層３３は、各ブラカップの内側表面３０に一体に接合された、又は、内側表面３０内に組み入れられた繰り返し使用可能なＰＳＡとすることが好ましい。感圧粘着層は、スプレー被覆、ホットメルト法、押出し塗布、ダイ被覆、又は、ＰＳＡを基材に塗布するためのその他の周知の方法などいろいろな方法によってブラカップの内側表面に適用することができる。この目的に適するＰＳＡの一例は、米国特許第６，２００，１９５号に開示されているシリコーンゲルである。その場合、シリコーンゲル粘着層をその下の基体と一体に形成する。あるいは又、両面テープ等の他のＰＳＡを用いることもできる。上記米国特許第６，２００，１９５号に開示されたＰＳＡのような好ましい感圧粘着層３３は、一旦ユーザーのバストに取り付けると、容易にずれることがなく、しかも、その粘着性を失うことなく、繰り返し使用することができる。そのような感圧粘着層３３は、ブラカップ１２に対して、ユーザーの肌に対する粘着力より大きい粘着力を有しているので、ブラカップがバストから外されたとき、粘着層はブラカップ側に残り、ユーザーの肌には残らない。しかも、この感圧粘着層は、ユーザーの激しい動きや圧力にも、スリップを起こすことなく耐えることができ、水や汗にさらされても粘着特性を劣化させることがない。実際、この種の感圧粘着層は、埃、糸くず又は異物等の望ましくない粒子が付着するなどして汚れたとしても、石けんと水で洗浄することによってそのような粒子を除去して完全に粘着特性を回復することができる。
【００１３】
ブラカップ１２は、各々、コネクタ１４を受容することができるようになされている。コネクタ１４は、いろいろな異なる構造とすることができるが、基本的には、ブラをユーザーのバストに位置づけしたとき２つのブラカップを互いに引き寄せるための手段を備えたものとする。例えば、コネクタは、２つ又はそれ以上の別個の（分離した）部分からなるものとし、第１部分は一方のブラカップに取り付けられ、第２部分は他方のブラカップに取り付けられるようにする。そして、コネクタの第１部分と第２部分とは、２つのブラカップを結びつけるために互いに係合するように設計される。更に、コネクタ１４のこれらの分離した部分は、ブラカップに恒久的に取り付けてもよく、あるいは、着脱自在に取り付けてもよい。又、コネクタ１４は、両方のブラカップに着脱自在に取り付けられる単一のユニットとすることも可能である。更に、先に述べたように、コネクタは、衣類自体の一部分としてもよく、例えば、２つのブラカップを引き寄せる又は結合する、両ブラカップの間に配設された適当なタイプの織物又は素材片とすることができる。
【００１４】
ブラカップ１２は、バストを支持するのに適した、在来のブラやバスト型等の多種多様の構造であってよく、パッドを詰めても、詰めなくてもよく、織物、プラスチック、フォーム（発泡体）、水、シリコーン、ゲル等の１種類又はそれ以上の種類の材料から造ることができる。ブラカップの材料及びサイズは、衣類のスタイル、衣類及びブラシステムの予期される用途、ユーザーの好みに応じて変えることができる。
【００１５】
本発明の衣類及びブラシステムに使用するのに適したブラシステムの例は、「バックレス、ストラップレスブラ」と題する米国特許出願公開第２００４−００２３５９４号及び「着脱自在のバスト形態向上システム」と題する米国特許出願公開第２００３−０２２４７００号Ａ１（それらの記載内容が本明細書に編入されているものとする）に開示されている。
【００１６】
ユーザーは、ブラカップを自分の肌に装着し、所望の外形と位置を設定したならば、２つのブラカップを相互により近くに引き寄せることによってバストの谷間をより大きくすることができる。さらに、ユーザーは、バストをプッシュアップしたいと思えば、２つのブラカップがコネクタによって上方へ、かつ、互いに引き寄せられるようにブラカップをバストに対してより低い、より外方の位置に位置づけすることができ、あるいは、コネクタをブラカップに対してより低い部位に位置づけすることができる。ブラカップ１２の頂縁１６及び底縁１８に対するコネクタの相対的な取付位置は、プッシュアップ作用の度合を変える。
【００１７】
上述したいろいろなタイプの衣類とブラシステムの組合せは、いろいろな異なる態様で得ることができる。１つの選択は、衣類の形態を実質的に改変することなく、ブラシステムを衣類のデザインに付加することである。換言すれば、ブラシステムを、既存の衣類の内側表面に結合することによって既存の衣類に付加することができる。例えば、ブラカップを衣類に結合するための適当な手段としては、縫製、ステッチ、接合、ヒートシール、接着剤の使用、ボタンの使用、スナップの使用、留め金の使用、及び、又は、ホック及びマジックテープ（即ち、ベルクロファスナー）の使用等がある。ブラカップを衣類に結合するための手段は、例えば、ブラカップの外側表面と衣類の内側表面との間に配設することができる。あるいは、ブラカップは、衣類のデザインをそれがブラカップを少くとも部分的に囲包するように、又は、ブラカップに係合するように改変することを伴うような態様で衣類に結合することもできる。
【００１８】
一体のブラシステムを備えた本発明の衣類の一実施形態が、図４及び５に示されている。この衣類３４は、ノースリーブのタンクトップ式のシャツとして示されており、ユーザーに着用された状態で示されている。衣類３４は、ユーザーのバストを覆ってフィットする胸部分３６を有する。図４において、ブラシステムは、仮想線で示されており、ブラカップ１２は、衣類の胸部分の内側表面３８（図５参照）に結合されている。又、ブラカップ１２は、ユーザーのバストに取り付けられ、コネクタ１４は係合されたものとして示されている。
【００１９】
上述した組み込みブラシステムを備えた衣類では、そのブラシステムを在来のブラと差し替えることもできる。更に、この衣類にバックレス、ストラップレスブラを組み込んだことによって、ユーザーは、所望の度合のバストの谷間強調及びプッシュアップ効果を得るように衣類の下のブラカップの位置をカスタマイズ（個々人の所望に応じて調節する）ことができる。ブラカップの内側表面の感圧粘着層と、両ブラカップ間のコネクタは、衣類を個々人のニーズ及び好みに適合するように完全にカスタマイズすることを可能にする。更に、衣類に組み込まれていない既知のブラカップとは異なり、本発明のブラカップは、たとえ感圧粘着層がユーザーの肌から外れたとしても、衣類から脱落したり、飛び出したりしない。
【００２０】
一体のブラシステムを備えた本発明の衣類は、在来のブラに代えて用いることができ、バストの谷間及びプッシュアップ効果を調節することを可能にする新規な方法を提供する。ユーザーは、衣類（例えば、シャツ、水着等）をその本来の目的のために着用することができ、しかも、バストの形状及び外観を所望のものにするために２つのブラカップの各々を個々にバスト上の所望の位置に位置づけし、両ブラカップをコネクタで引き寄せることができる。本発明の衣類を用いる方法の一例は、衣類を、その内側表面に結合された２つのブラカップがバストの方に向けられるようにして、身体に位置づけする工程と、対応するバストに被さるようになされた内側表面を有する該２つのブラカップを各バスト上にそれぞれ独立して位置づけする工程と、前記２つのブラカップの各々の内側表面には、それぞれ対応するバストに対して、かつ、他方のブラカップに対して位置づけし直すことができるように他方のブラカップとは独立して容易に脱着することができる感圧粘着層が設けられており、該２つのブラカップの各々の内側表面の感圧粘着層をそれぞれ対応するバストの所望位置に粘着させる工程と、前記２つのブラカップの内方側縁の間に第１部分と第２部分を有するコネクタが設けられており、該コネクタは、その第１部分と第２部分を係合させると、該２つのブラカップ及び両方のバストを相互に引き寄せてバストの谷間を創生するようになされており、該コネクタを係合させることによって該２つのブラカップを結合させる工程と、前記２つのブラカップを結合する前に該２つのブラカップの間の間隔を調節してそれらのブラカップが結合されたときに創生されるバストの谷間の大きさを調節するために、前記２つのブラカップの少くとも一方をバストから外して該ブラカップを対応するバスト上の異なる位置に位置づけし直すことによってバストの谷間の大きさを調節する工程とから成る。
【００２１】
上述した特定の特徴及び実施形態以外に、本発明は、上述したものと均等のあらゆる構造及び特徴をも包含するものであり、ここに例示した実施形態に限定されるものではいことを理解されたい。例えば、ブラカップのサイズ及び形状は、ユーザーの所望する任意の形態に変更することができ、例えばバストの異なる部分を被ういろいろなタイプの部分カップ構造とすることができる。同様な融通性が、このブラシステムと組み合わせるために選択される衣類に関しても得られる。更に、一体のブラシステムを備えた本発明の衣類が関連する当業者には明らかなように、ここに開示された実施形態には、本発明の範囲から逸脱することなく、いろいろな変更及び改変を加えることができる。
【図面の簡単な説明】
【００２２】
【図１】図１は、コネクタによって連結された１対のブラカップを有する本発明のバックレス、ストラップレスブラの一例を示す正面図である。
【図２】図２は、図１に示されたブラカップの１つの側面図である。
【図３】図３は、図１のブラカップの正面図であるが、１対のブラカップを連結するコネクタが外されているところを示す。
【図４】図４は、図１のバックレス、ストラップレスブラを含む衣類の一例を示す概略図であり、コネクタを係合させてユーザーに装着されたブラを仮想線で示す。
【図５】図５は、図４に示される示された衣類の胸部の側断面図である。
【符号の説明】
【００２３】
１０  ブラ、ブラシステム
１２  ブラカップ
１４  コネクタ
１６  頂縁
１８  底縁
２０  外方側縁
２２  内方側縁
２４  内方頂縁
２６  内方中間側縁
２８  内方底縁
３０  内側表面
３２  外側表面
３３  感圧粘着層
３４  衣類
３６  胸部分
３８  内側表面
【図１】
2006002324.tif 000003
【図２】
2006002324.tif 000004
【図３】
2006002324.tif 000005
【図４】
2006002324.tif 000006
【図５】
2006002324.tif 000007